(57)【要約】【課題】従来技術の短所（長期的信頼性に欠ける）を解消した時計ケースの提供。【解決手段】時計ケースは、表示盤を有する表側を含む主軸に沿って配置された時計機構を収容するカプセル２０と、略円筒状のハウジング４が設けられた、カプセル２０を取り囲む胴部２と、を備える。ハウジング４は、カプセル２０を受け入れる側である裏側が開口している。時計ケースは、さらに、カプセル２０の裏側に載置されたベゼル３０を備える。ベゼル３０は、カプセルの外郭部２２に配置されたタブ３４を有する。ハウジング４は、軸に対してカプセル２０及びベゼル３０を胴部２のハウジング４への軸方向スライド動作によって組み付けるための角度位置、並びに胴部２のハウジング４の円筒状部分に形成された円状配置の１つの溝１４内にタブ３４が部分的に挿入されてベゼル３０をブロックする別の角度位置を有している。【選択図】図２
2020506403.tif 000002
【特許請求の範囲】
【請求項１】
（a）表示盤を有する表側を含む主軸に沿って配置された、時計機構を収容するカプセル（２０）と、(b) 略円筒状のハウジング（４）が設けられた、前記カプセル（２０）を取り囲む胴部（２）であって、当該ハウジング（４）は、前記カプセル（２０）を受け入れる側である裏側が開口している胴部（２）と、を備える、時計ケースにおいて、
前記カプセル（２０）の裏側に載置されたベゼル（３０）であって、前記カプセルの外郭部（２２）に配置されたタブ（３４）を有する、ベゼル（３０）、
を備え、前記ハウジング（４）が、前記軸に対して、前記カプセル（２０）及び前記ベゼル（３０）を前記胴部（２）の当該ハウジング（４）への軸方向スライド動作によって組み付けるための角度位置、ならびに前記胴部（２）の当該ハウジング（４）の円筒状部分に形成された円状に配置された少なくとも１つの溝（１４）内に前記タブ（３４）が部分的に挿入されて前記ベゼル（３０）をブロッキングするための別の角度位置を有していることを特徴とする、時計ケース。
【請求項２】
請求項１に記載の時計ケースにおいて、前記カプセル（２０）の前記外郭部（２２）が、前記タブ（３４）を収容する溝（５０）を有しており、当該溝（５０）が、周方向に傾斜する底部を有していることを特徴とする、時計ケース。
【請求項３】
請求項１または２に記載の時計ケースにおいて、前記ベゼル（３０）が、当該ベゼル（３０）の外郭部に、組付用の前記角度位置及びブロッキング用の前記角度位置を示すマーク（６２，６４）を有していることを特徴とする、時計ケース。
【請求項４】
請求項１から３のいずれか一項に記載の時計ケースにおいて、前記タブ（３４）が、前記ベゼル（３０）の円状の外郭部からの軸方向部位（３６）と、それに続いて、円状の溝（１４）に挿入されるように設けられた周方向部位（３８）と、を含むことを特徴とする、時計ケース。
【請求項５】
請求項１から４のいずれか一項に記載の時計ケースにおいて、前記ベゼル（３０）が、裏側に、前記カプセル（２０）の裏側の表面（２８）周りに設けられた段差部と一体化した円状の外郭部を有していることを特徴とする、時計ケース。
【請求項６】
請求項５に記載の時計ケースにおいて、前記ベゼル（３０）の前記円状の外郭部が、前記カプセル（２０）の前記裏側の表面（２８）の前記段差部の底部における対応する形状と嵌合する円錐形状を有していることを特徴とする、時計ケース。
【請求項７】
請求項１から６のいずれか一項に記載の時計ケースにおいて、前記ベゼル（３０）が、当該ベゼル（３０）の外郭部に、隆起形状部（３２）を有していることを特徴とする、時計ケース。
【請求項８】
請求項１から７のいずれか一項に記載の時計ケースにおいて、前記胴部（２）が、前記カプセル（２０）の回転をブロックする形状部（１２）を有していることを特徴とする、時計ケース。
【請求項９】
請求項８に記載の時計ケースにおいて、前記カプセル（２０）の回転をブロックする前記形状部（１２）が、前記カプセル（２０）の調節クラウン（２６）の軸心を囲うチューブ（２４）を受け入れる径方向スロットであることを特徴とする、時計ケース。
【請求項１０】
時計機構を含むカプセル（２０）を、裏側が開口している略円筒状のハウジング（４）で受け入れるように構成された時計胴部（２）であって、
前記カプセル（２０）は、当該カプセル（２０）の裏側に当接したベゼル（３０）によって定位置に保持され、
前記ベゼル（３０）は、前記カプセルの外郭部（２２）に配置されたタブ（３４）を有する、時計胴部（２）において、
当該時計胴部（２）が、当該時計胴部（２）のハウジング（４）の円筒状部分に、ブロッキング位置にて前記タブ（３４）を部分的に収容するように設けられた円状配置を有する少なくとも１つの溝（１４）を有していることを特徴とする、時計胴部（２）。
【発明の詳細な説明】
【技術分野】
【０００１】
本発明の技術分野は、時計ケースの技術分野であり、詳細には、手首に装着される時計または懐中時計の技術分野である。
【背景技術】
【０００２】
手首に装着される時計は、一般的に、大抵が円形状である扁平な防水ケースを備えている。当該防水ケースは、表示盤及び針を覆うガラスを上面で受けて且つ裏蓋を下面で受ける本体部を有している。
ケースは、両側に２つのアームを備えている。当該２つのアームは、各側に配置されたバンド部のループ内へと係合する交差ニードル棒を当該アーム間において受け入れる。側部に設置された１つ以上のクラウンは、機構内に進入して時計の設定やコントロールを確保する径方向軸を有している。
【０００３】
既知の時計の一種は、略円状の防水カプセルと胴部（middle）とを含む２部ケースを備えている。カプセルは、時計機構を含む主軸を有し、かつ、当該カプセルの表示盤及びガラスを当該カプセルの上面に具備している。胴部は、カプセルを収容する外郭部を形成しており、かつ、バンド留めアームを両側に有している。
胴部は、ほかにも補助的機能を有し得る。このようにして、カプセルは同じのままで胴部のみを変更することで、見た目の違う時計を安価に提供することができる。
この種の時計の既知の一実施形態では、カプセルの円状の外リムが胴部の表側の表面に当接するように、当該カプセルが当該胴部のハウジング内へと表側から導入される。
【０００４】
次に、円状のリングを形成し且つ雌ねじ部が設けられているベゼルが、カプセルの裏側に設けられた対応するねじ部に螺合されることにより、表側の外リムとベゼルとの間に挟まれた胴部を軸方向に確実に挟持固定する。
この組立システムは、簡単で且つ製造が経済的であり、かつ、取付けを確実に強固なものにする。しかし、問題がある。具体的に述べると、カプセルに螺合されるベゼルは、螺合のために円状でなければならず、異なる形状の製作を制限する。しかも、ベゼルは、ユーザが気付かないうちに緩んで落下する可能性がある。他にも、ベゼルは、カプセルのねじ部上で簡単に曲がったり斜めに螺合したりし得る薄肉の部品であり、最も高価な部品であるカプセルのクロススレッディングを招いてしまう。
【０００５】
この種の時計の既知の他の実施形態では、表側に外リムを有するカプセルが、胴部へと表側から導入される。胴部は、当該胴部へと側部ピボットにより取り付けられたカバーを具備している。カバーは、カプセルの外郭部を覆って当該カプセルを定位置に保持するリングを形成している。
カバーは、当該カバーが胴部へと閉じられたときに自動的に掛止する（ばねで押される）フックのシステムによってカプセルの外郭部を押圧することで、胴部に対してロックされる。
これにより、技術的に革新的な胴部が得られる。このような胴部は、一部の時計ブランドのイメージに適したものとなり得る。
【０００６】
しかしながら、この組立システムは、カバーをロックするのに必要な部品点数が原因となって脆弱であり、かつ、長期的な挙動が不確かである。具体的に述べると、強い機械的制約を伴い得るスポーツ用途の範疇での信頼性が、限られたものとなり得る。
この種の時計の既知の一実施形態では、カプセルが、胴部のハウジング内へと表側から導入されて、かつ、当該カプセルの外郭部に形成された対応する凹部へと嵌まる（ばねで押される）ボールによりブロッキングすることで、当該カプセルを軸方向に確実に保持する。
追加のクラウンが側部に配置されて、胴部内を通ってカプセルへと螺合されることにより、当該カプセルを完全にロックする。
【０００７】
これは簡単なロック解決手段であるが、長期的な信頼性は保証されていない。実際、ボールを押すばねは酸化し得るため、胴部の寿命を制限してしまう。しかも、ボールのロック手段を設けるための空間を確保する必要があるため、胴部の美観に制約を課すことになる。
【発明の概要】
【発明が解決しようとする課題】
【０００８】
本発明の目的は、従来技術の短所を解消することである。
【課題を解決するための手段】
【０００９】
この目的のために、本発明は、
表示盤を有する表側を含む主軸に沿って配置された、時計機構を収容するカプセルと、
略円筒状のハウジングが設けられた、前記カプセルを取り囲む胴部であって、当該ハウジングは、前記カプセルを受け入れる側である裏側が開口している胴部と、を備える、時計ケースにおいて、
前記カプセルの裏側に載置されたベゼルであって、前記カプセルの外郭部に配置されたタブを有するベゼルを備え、前記タブが、ブロッキング位置にて前記胴部の前記ハウジングの円筒状部分に形成された円状に配置（circular orientation）された少なくとも１つの溝内に部分的に挿入されることを特徴とする、時計ケースを提供する。
【００１０】
この時計ケースの利点の一つは、裏側の表面に前記ベゼルを配置した前記カプセルを前記胴部内に導入し、前記タブが前記カプセルと前記胴部の前記ハウジングとの間に挿入されるようにした後、前記ベゼルを回転させることにより、前記タブが前記カプセルの前記外郭部に設けられた傾斜に沿って動かされて径方向に容易にスペースが拡がり、これによって当該タブが、前記胴部の前記ハウジングの円状配置の少なくとも１つの溝内に導入されることができるという点である。
【００１１】
前記タブは、円状配置の前記溝内で軸方向にロックされて後側へとスライドすることができないので、前記胴部内での前記ベゼル及び前記カプセルの効率的かつ強固な保持が経済的に達成される。しかも、前記カプセルと前記胴部との間の隙間に挿入された前記タブは見えないので、スッキリとした見た目を与える。
【００１２】
本発明にかかる時計ケースは、さらに、互いに組み合わせられ得る下記の１つ以上の構成を備え得る。
有利には、前記時計ケースは、前記軸に対して前記カプセル及び前記ベゼルを前記胴部の前記ハウジングへの軸方向スライド動作によって組み付けるための角度位置、ならびに円状の前記少なくとも１つの溝内に前記タブが部分的に挿入されて前記ベゼルをブロッキングするための別の角度位置を有している。
【００１３】
有利には、前記カプセルの前記外郭部は、前記タブを収容する溝を有しており、当該溝が周方向に傾斜する底部を有している。前記タブは、前記ベゼルを回転させてこの傾斜に沿ってスライドさせることにより、前記胴部の前記少なくとも１つの溝内へと容易に挿入されることができる。
有利には、前記ベゼルの外郭部は、組付用の前記角度位置及びブロッキング用の前記角度位置を示すマークを有している。これにより、前記ベゼルの正確なブロッキング位置が確保される。
【００１４】
より具体的には、前記タブは、前記ベゼルの円状の外郭部からの軸方向部位と、ついで、円状の溝に挿入されるように設けられた周方向部位と、を含み得る。これにより当該周方向部位は径方向に弾性を有するものとなる。
より具体的には、前記ベゼルが、裏側に、前記カプセルの裏側の表面周りに設けられた段差部と一体化した円状の外郭部を有し得る。これにより、当該円状の外郭部は、前記カプセルの厚みと一体化する。
この場合、前記ベゼルの前記円状の外郭部は、前記カプセルの前記裏側の表面の前記段差部の底部における対応する形状とマッチする円錐形状を有している。
有利には、前記ベゼルの外郭部は、隆起形状部（raised shape）を有している。
【００１５】
有利には、前記胴部は、前記カプセルの回転を阻止する形状部を有している。これにより、前記ベゼルは、前記カプセルを回転駆動させることなく容易に回転されることができる。
有利には、この場合、回転を阻止する前記形状部が、前記カプセルの調節クラウンの軸心を囲うチューブを受け入れる径方向スロットである。
【００１６】
本発明の他の態様は、時計機構を含むカプセルを、裏側が開口している略円筒状のハウジングで受け入れるように構成された時計胴部であって、
前記カプセルは、当該カプセルの裏側に当接したベゼルによって保持され、
前記ベゼルは、前記カプセルの外郭部に配置されたタブを有する、時計胴部において、
当該胴部が、前記ハウジングの円筒状部分に、ブロッキング位置にて前記タブを部分的に収容する円状配置を有する少なくとも１つの溝を有している、時計胴部である。
【００１７】
本発明のさらなる特徴および利点は、添付の図面を参照しながら行う以下の説明を読むことで明らかになる。
【図面の簡単な説明】
【００１８】
【図１】、胴部から切り離されたベゼル付きのカプセルを備える本発明の第１の実施形態における時計ケースを示す図である。
【図２】前記実施形態におけるカプセルの外郭部分を示す図である。
【図３】前記実施形態におけるベゼルを示す図である。
【図４】前記実施形態におけるカプセルへのベゼルの取付の様子（ベゼルのロック回転前の様子）を示す斜視図である。
【図５】前記実施形態におけるカプセルへのベゼルの取付の様子（ベゼルのロック回転後の様子）を示す斜視図である。
【図６】前記実施形態におけるベゼルの組付けの様子（ベゼルのロック回転前の様子）を示す、クラウンの軸心を通る切断平面に沿った部分断面背面図である。
【図７】前記実施形態におけるベゼルの組付けの様子（ベゼルのロック回転後の様子）を示す、クラウンの軸心を通る切断平面に沿った他の部分断面背面図である。
【図８】本発明の第２の実施形態（ベゼル付きのカプセルを胴部から切り離している）における時計ケースを示す図である。描いている。
【図９】第２の実施形態におけるカプセルの外郭部分を示す図である。
【図１０】第２の実施形態におけるベゼルを示す図である。
【図１１】第２の実施形態におけるカプセルへのベゼルの組付けの様子（ベゼルのロック回転前の様子）を示す斜視図である。
【図１２】第２の実施形態におけるカプセルへのベゼルの組付けの様子（ベゼルのロック回転後の様子）を示す他の斜視図である。
【図１３】第２の実施形態におけるベゼルの組付けの様子（ベゼルのロック回転前の様子）を示す、クラウンの軸心を通る切断平面に沿った部分断面背面図である。り、が描かれている。
【図１４】第２の実施形態におけるベゼルの組付けの様子（ベゼルのロック回転後の様子）を示す、クラウンの軸心を通る切断平面に沿った他の部分断面背面図である。
【発明を実施するための形態】
【００１９】
分かり易くするために、全ての図をとおして同一又は同様の構成要素は、同じ参照符号で特定するものとする。
図１及び図２には、第１の実施形態における時計ケース、特には胴部２が示されている。胴部２は、矢印「ＡＲ」で指すように裏側が開口している円筒状のハウジング４を有しており、これによってカプセル２０の円筒状の外郭部をぴったりと合った状態で受け入れる。カプセル２０の外郭部２２は、ここで図示している円筒形状とは異なる別の形状を有するものとされてもよい。
【００２０】
胴部２のハウジング４は、フロントにおいて、当該ハウジングの内側に若干突き出た円状リム６によって終端しており、カプセル２０の表側の外郭部のための支持部を形成している。
胴部２は、両側に、２つの略平行なホーン部(horn)８を有している。各ホーン部８は、穿孔部１０を有しており（穿孔部１０同士は互いに対向している）、ブレスレットの一部のループに収容されたニードル棒（図示せず）［ポンプ（pump）とも称される］を受け入れる。
【００２１】
胴部２の一方の側は、裏側の方に開口している径方向向きのスロット１２を有しており、カプセル２０の（当該カプセルに螺合しているか又は埋め込まれている）クラウン２６のロッドを囲うチューブ２４を調整状態で受け入れる。チューブ２４とクラウン２６とからなるアセンブリは、カプセル２０と一体化した時計機構調節ノブとなる。
【００２２】
胴部２には、当該胴部２のハウジング４の外郭部に、当該ハウジングの裏側の端部からシフトした途切れのない円状の内溝１４が設けられている。代替的な解決手段の一つとして、溝１４は、別々の円状部位を含む、途切れ有りのものとされてもよい。
カプセル２０は、扁平な裏部２８を有する。裏部２８は、表側へ偏位することで当該扁平な裏部周りに小さな段差部を形成した、若干円錐状の外郭部を有している。
【００２３】
ベゼル３０は、扁平な裏側の表面２８回りの前記段差部と一体化するようにカプセル２０の前記円錐状の外郭部に嵌合して当該裏側の表面にて嵌まり合う、若干円錐状の円状外郭部を有している。ベゼル３０は、カットされた金属シートからなるものとされてもよいし、例えば複合材料等の任意の他の材料からなるものとされてもよい。
ベゼル３０の前記外郭部は、当該ベゼルを手で回転させることを可能にする把持手段である、放射状に配置されて角度方向に分布した一連の隆起形状部３２を有している。
【００２４】
胴部２の裏側の表面は、径方向マーク６０を有している。径方向マーク６０は、ベゼル３０における２つの凹部３２間にある、＜＜ＯＰＥＮ（開）＞＞ロック解除位置６２又は＜＜ＣＬＯＳＥ（閉）＞＞ブロッキング位置６４を示すマークを有するボスに対向配置され得る。当然ながら、これらのマークは、本実施形態とは異なるものとされてもよく、前記位置をエッチングしたものに限定されない。このようなエッチングは、例えば、そのような用途に（すなわち、ロック状態を表すように）適合化された少なくとも１つのシンボル又は任意の他の少なくとも１つのマークに置き換えられてもよい。
【００２５】
図３には、ベゼル３０が示されている。ベゼル３０の外郭部は、表側に向いて且つ全体として円筒形状を呈する、角度方向に分布した複数のタブ３４を有している。各タブ３４は、そのような外郭部から軸方向部位と周方向部位３８とを連続して含んでおり、周方向部位３８の端部は、軸心に面した小さなボス４０を有している。タブ３４は、背面から軸方向へとスライドすることにより、胴部２の円筒状のハウジング４内へとアジャストするように設けられている。
【００２６】
図４及び図５には、カプセル２０が示されている。カプセル２０の円筒状の外郭部２２は、角度方向に分布した複数（本実施形態では３つ）の外溝５０を有している。各外溝５０は、裏側が開口している第１の軸方向部位５２を含む。代替的な解決手段の一つとして、外溝５０やタブ３４の数を異なるものとしてもよい。
図４及び図６に示すように、各外溝５０の第１の部位５２は、組付位置にてタブ３４の一つ全体を当該第１の部位５２の厚み内で収容することができる。
【００２７】
各溝５０の第１の軸方向部位５２は、カプセル２０の裏側の表面から隔てられた第２の周方向部位５４で延長されている。第２の周方向部位５４は、径方向外方へと徐々に傾斜状で隆起する底部を有している。当該底部は、ベゼル３０がブロッキングされるまで回転した後の当該ベゼル３０の組付位置にてボス４０が収容されることが可能な、例えば溝および／またはスクラッチで形成された凹部４１を有している。このようにして、そのようなボス４０がそのような凹部４１と組み合わさることで、カプセル２０に対するベゼル３０の組付位置をブロッキングするのを可能にする回転固定手段が形成される。よって、逆方向に動かすには（すなわち、ベゼル３０をカプセル２０に対してロック解除するように回転させるには）、時計がユーザの手首に装着されているときにベゼル３０が回動し出して摩擦及び／又は振動を起こすのを確実にできないようにする安全対策としての安全装置を、所定の力が必要となるが乗り越える必要がある。
【００２８】
前記時計ケースは、下記のようにして組み立てられる。第一のステップにて、ベゼル３０は、各タブ３４が溝５０の第１の軸方向部位５２内に完全に入るようにカプセル２０の裏側に嵌められることで配置される。
次に、ベゼル３０付きのカプセル２０が、胴部２のハウジング４内へと挿入される。クラウン２６のチューブ２４が、胴部２のスロット１２に対向するように配置されて、当該スロットに進入する。マーク＜＜ＯＰＥＮ＞＞６２が、径方向マーク６０に対向する。
次のステップにて、前記ベゼルは、図５及び図７に示すように、マーク＜＜ＣＬＯＳＥ＞＞を径方向マーク６０に対向させるように当該ベゼル３０の隆起形状部３２を用いて手で時計回りに回転される。
これにより、各タブ３４の円状部位３８が、対応する溝５０の第２の部位５４に係合すると共に、この隆起する第２の部位の底部の傾斜にボス４０が当接することで、この周方向部位が外方に盛り上げられる。ボス４０は、溝５０の傾斜に対して少ない面積で当接するので、ベゼル３０を回転させる際の摩擦が減少する。
【００２９】
各タブ３４の周方向部位３８は、径方向外方への移動後に胴部２のハウジング４の円状溝１４に進入し、回転の完了後には当該溝の底部でブロッキングされる。ベゼル３０の十分な回転は、マーク＜＜ＣＬＯＳＥ＞＞６４が径方向ライン６０に対向することで確実となる。これにより、溝５０の底部と円状溝１４の底部との間に挟まれたタブ３４のブロッキングが確保される。
【００３０】
ベゼル３０の回転運動のあいだ、カプセル２０は、特に前記胴部のスロット１２に嵌合した（カプセル２０との一体品である）クラウン２６のチューブ２４により、当該胴部２に対して静止したままで保持される。これにより、カプセル２０に対するベゼル３０の回動が（したがって、溝５０内のタブ３４の変位が）容易となる。
このようにして、ベゼル３０およびカプセル２０は、分解、摩耗又は動作不良のリスクを長期にわたって抑えながら胴部２内で効率的にブロッキングされる。
【００３１】
一般的に述べると、前記胴部のスロット１２内へと嵌合した（カプセル２０との一体品である）前記調節ノブのチューブ２４により、胴部２に対する当該カプセル２０の軸心回りの回転がブロッキングされる。胴部２の円状溝１４にタブ３４が係合することにより、カプセル２０の、その軸心に沿った並進がブロッキングされる。ベゼル３０が定位置に保持されてカプセル２０の裏側に当接することにより、当該カプセル２０が胴部２のハウジング４内にブロッキングされる。
【００３２】
図８〜図１４には、第２の実施形態における時計ケースが示されている。具体的に述べると、この第２の実施形態は、前記回転固定手段が、ブロッキングされるまで回転した後に組付位置にて対応する凹部４１へと係合するボス４０ではなく、各タブ３４の周方向部位３８に設けられて且つブロッキングされるまで回転した後に、組付位置にて対応する突部４１’、１５が係合するスリット４０’によって形成されているという点で、第１の実施形態と主に異なる。
【００３３】
このような回転固定手段により、カプセル２０に対するベゼル３０の組付位置をブロッキングすることができる。逆方向に動かすには（すなわち、ベゼル３０をカプセル２０に対してロック解除方向に回動させて前記ケースを開けるには）、この組付けを固定してベゼル３０の必要以上のあらゆる回転を阻止する安全装置を乗り越える必要がある。なお、スリット４０’の場合には、当該スリットが前記主軸に対して略軸方向に向いているので前記安全装置がカプセル２０の軸心と略平行な軸心に沿って配置されることになるのに対し、ボス４０の場合には、このような安全装置がその軸心に対して略径方向となる。
【００３４】
これまで、本発明を、例を用いて説明してきた。当業者であれば、本発明の範囲を逸脱しない範疇で本発明の別の実施形態を実施することも可能であると理解されたい。
【図１】
2020506403.tif 000003
【図２】
2020506403.tif 000004
【図３】
2020506403.tif 000005
【図４】
2020506403.tif 000006
【図５】
2020506403.tif 000007
【図６】
2020506403.tif 000008
【図７】
2020506403.tif 000009
【図８】
2020506403.tif 000010
【図９】
2020506403.tif 000011
【図１０】
2020506403.tif 000012
【図１１】
2020506403.tif 000013
【図１２】
2020506403.tif 000014
【図１３】
2020506403.tif 000015
【図１４】
2020506403.tif 000016
【国際調査報告】
2020506403.tif 000017
2020506403.tif 000018
2020506403.tif 000019
2020506403.tif 000020